(57)【特許請求の範囲】
【請求項１】
ＯＨＰ合紙機能を有すると共に、エレベータがリフトアップする少なくとも１つの用紙トレイを含む複数の用紙トレイと、
前記複数の用紙トレイのうち、合紙用トレイを選択するトレイ選択ボタンとを備えた画像記録装置において、
前記エレベータがリフトアップする用紙トレイがリフトアップ中と判断された場合にも、該用紙トレイが合紙用トレイとして前記トレイ選択ボタンにより選択可能とした
ことを特徴とする画像記録装置。
【請求項２】
ＯＨＰ合紙機能を有すると共に、エレベータがリフトアップする少なくとも１つの用紙トレイを含む複数の用紙トレイと、
前記複数の用紙トレイのうち、合紙用トレイとして選択可能なトレイを表示する表示制御手段とを備えた記録装置において、
前記エレベータがリフトアップする用紙トレイがリフトアップ中と判断された場合にも、前記表示制御手段により該用紙トレイが合紙用トレイとして選択可能なトレイとして表示可能とした
ことを特徴とする画像記録装置。
【発明の詳細な説明】
【０００１】
【産業上の利用分野】
本発明は、複写機、ファクシミリ、プリンタ等の画像記録装置に関し、特にＯＨＰ合紙機能が選択された場合における画像記録装置の動作に関する。
【０００２】
【従来の技術】
従来から、合紙と画像記録されたＯＨＰ用紙が排出されるＯＨＰ合紙機能を有する画像記録装置が存在する。
【０００３】
【発明が解決しようとする課題】
更に、用紙トレイにエレベータが設けられ、該エレベータがリフトアップする画像記録装置が存在する。
【０００４】
しかしながら、ＯＨＰ合紙機能と用紙トレイにおけるエレベータのリフトアップとの関連については全く考慮されていなかった。
【０００５】
そこで、本発明は、ＯＨＰ合紙機能を有すると共に、エレベータがリフトアップする少なくとも１つの用紙トレイを備えた画像記録装置における不具合を解決することを目的とする。
【０００６】
【課題を解決するための手段及び作用】
請求項１記載の画像記録装置は、ＯＨＰ合紙機能を有すると共に、エレベータがリフトアップする少なくとも１つの用紙トレイを含む複数の用紙トレイと、前記複数の用紙トレイのうち、合紙用トレイを選択するトレイ選択ボタンとを備えた画像記録装置において、前記エレベータがリフトアップする用紙トレイがリフトアップ中と判断された場合にも、該用紙トレイが合紙用トレイとして前記トレイ選択ボタンにより選択可能としたことを特徴とする。
また、請求項２記載の画像記録装置は、ＯＨＰ合紙機能を有すると共に、エレベータがリフトアップする少なくとも１つの用紙トレイを含む複数の用紙トレイと、前記複数の用紙トレイのうち、合紙用トレイとして選択可能なトレイを表示する表示制御手段とを備えた記録装置において、前記エレベータがリフトアップする用紙トレイがリフトアップ中と判断された場合にも、前記表示制御手段により該用紙トレイが合紙用トレイとして選択可能なトレイとして表示可能としたことを特徴とする。
【０００７】
請求項１記載の発明によれば、エレベータがリフトアップする用紙トレイがリフトアップ中と判断された場合にも、トレイ選択ボタンによって該用紙トレイを合紙用トレイとして選択することができる。
請求項２記載の発明によれば、エレベータがリフトアップする用紙トレイがリフトアップ中と判断された場合にも、表示制御手段により、該用紙トレイが合紙用トレイとして選択可能なトレイとして表示可能であるので、ユーザが合紙用トレイの選択を誤ることを防止することができる。
【０００８】
【実施例】
以下、図面を参照しつつ本発明の実施例を説明する。なお、以下の実施例では画像記録装置の例として複写機を取り上げるが、本発明は複写機に限らず画像記録装置一般に適用できるものであることは当然である。
【０００９】
図１は本発明に係る画像記録装置を適用した複写機の外観を示す斜視図であり、ベースマシン１に両面自動原稿送り装置（ＤＡＤＦ）２，ソータ３が取付けられており、このベースマシン１はコンソールパネル４によって設定されたジョブに応じて付属装置を含む機構部を制御し、ＤＡＤＦ２で送られた原稿から読み取った画像情報を基にトレイ５から供給される指定サイズの用紙に対して画像処理を施した後、排紙処理を実行すると共に、ソータ３において画像処理された用紙の仕分けを行うように構成されている。
【００１０】
図２は本複写機の用紙搬送系の概略構成を示す図であり、複写機内には、感光ドラム７が配置されており、感光ドラム７の外周面には感光体８が層状に形成されている。感光ドラム７は矢印方向に回転するように駆動装置（図示せず）に連結されている。感光ドラム７の外周には、チャージコロトロン９、現像器１１，１２、転写コロトロン１３およびクリーニング装置１５が配置されている。
【００１１】
感光ドラム７が矢印方向に回転するにつれて、感光体８がチャージコロトロン９によって一様に帯電された後、露光箇所１６で光の照射を受け静電潜像が形成される。露光箇所１６には、複写機の上面に配置されたプラテンガラス１７上に載置された図示しない原稿の光像が入射されるようになっている。このために、露光ランプ１９と、これによって照明された原稿面の反射光を伝達する複数のミラー２０および光学レンズ２１とが配置されており、このうち所定のものは原稿の読み取りのためにスキャンされるようになっている。静電潜像が形成された感光体８は、その後現像器で現像される。ここで感光体８上に形成されたトナー像は、転写コロトロン１３により用紙上に転写され、ヒートロール２３とプレッシャロール２４の間で熱定着されて搬出される。一方、感光体８はクリーニング装置１５によりクリーニングされ再使用に供される。
【００１２】
一方、複写機に配置されている供給トレイ２５に収容されている用紙２７あるいはＯＨＰ用紙等のように手差しトレイ２８に沿って手差しで送り込まれる用紙２７は、送りロール２９あるいは３１によって送り出され、搬送ロール３２に案内されて感光ドラム７と転写コロトロン１３の間を通過する。このとき、トナー像が用紙２７上に転写される。転写後の用紙２７はヒートロール２３およびプレッシャロール２４の間を通過して熱定着される。そして、搬送ロール３２の間を通過して搬出トレイであるソータ３に搬出される。なお、以下の実施例ではＡ３とＢ４についてはロングエッジフィード（long edge feed：以下ＬＥＦと称す）のみが可能であるとする。
【００１３】
なお、中間トレイ３３は両面コピーまたは合成コピーを行う場合、及び頁連写機能が選択された場合に用いられるトレイである。
【００１４】
図３は電気系のハードウェア構成を示す図である。ユーザインタフェース（ＵＩ）５０はコンパネ４にあるボタンの操作による設定／入力されたデータ処理を実行し、本機システムを管理するＭＡＩＮＰＷＢＡ（以下、ＭＡＩＮ系と称す）に入力データを送ると共に、ユーザへの表示を行う。
【００１５】
ＤＡＤＦコントローラ５１は、原稿の両面から画情報を読み取るために、この読み取りタイミングに合わせて原稿をプラテンガラス上に搬送するための制御を行う。
【００１６】
光学的読取り装置（ＯＰＴ）コントローラ５２は、プラテンガラス上に搬送された原稿からユーザが指定した画情報の光学的な読取り制御を行う。即ち、ＤＡＤＦは原稿の一方の面がプラテンガラスに向き合うような状態でこれを搬送する。そしてＯＰＴが動作して１回目の露光を行う。次いで、ＤＡＤＦは露光終了後の原稿を装置内にあるトレイに戻す際にその表裏を逆転させる。これによりこの原稿が再度送り出された場合には先の露光面と逆の面が露光されるように原稿送り機構部および光学系の制御を行う。ベースマシンでは両面コピーの指令により用紙の搬送制御および両面トレイの駆動制御が行われる。
【００１７】
帯電除去装置（ＩＳＩＬ）コントローラ５３は、原稿の画情報から不要な部分を消し込む処理，原稿の周辺を消す枠消し処理，原稿の画情報の中からの特定情報描出などの編集処理の制御を行う。
【００１８】
画像記録装置（ＩＯＴ）コントローラ５４は、原稿から読み取られた画情報を基に画像処理を実行する際に、用紙搬送制御，紙づまり検知および現像プロセス制御を管理する。
【００１９】
特定トレイ（ＤＤＭ／ＴＲＡＹ［Ｘ］）コントローラ５５は、ＩＯＴからの両面画像処理に関する指令に基づいて片面の画像処理が既に行われている用紙を反転させて背面に画像処理を施すために、次の現像タイミングまで一時待機させるように両面トレイを制御したり、またＩＯＴからの特別トレイ動作指令により、他のトレイとは別に取り扱われる特別トレイ［Ｘ］、例えば最下段トレイ（トレイ４）の制御を行う。これは、ＤＤＭを使用しないユーザに対して、ＤＤＭを取り外してトレイとして使用できるようにするためである。従ってＤＤＭ及びトレイ４に関する情報は特定トレイコントローラ５５から通信によりＩＯＴ５４に通知されることになる。
【００２０】
ビンソータコントローラ５６は、例えば２０ビンソータをＩＯＴからの仕分け指令により駆動し、ベースマシンから搬出される画像処理後の用紙を指定されたビンに貯えるための制御を行う。
【００２１】
スティプルソータコントローラ５７は、ＩＯＴからの綴じ込み仕分け指令によりビンに貯えられた用紙を丁合した後にスティプルで綴じるための制御を行う。
ライトレンズマネジャー（ＬＬＭ）５８は、システムの全体を統括管理しており、主に原稿の画像処理と用紙の搬送を時間的に一致させるためのシステムタイミング制御やユーザが設定するコピーモードなどのジョブ管理を行う。
【００２２】
シリアルデータ通信プロセッサ（ＳＣＰ）５９は、ＵＩ，ＤＡＤＦ，ＯＰＴおよびＩＳＩＬとのデータの送受をシリアル通信で行うと共に、ＬＬＭとの間のデータをパラレル通信によりやり取りするためのデータ処理を行う。
【００２３】
特にＳＣＰとＬＬＭとのデータのやり取りは、ＳＣＰに内蔵されているデュアルポートＲＡＭを通して行われる。すなわち、ＬＬＭは自分のアドレスマップ上に割り付けられたＳＣＰのＲＡＭをリード／ライトし、このＲＡＭをＳＣＰがリード／ライトすることで情報の伝達を行っている。
【００２４】
上記のハードウェアは各機能ごとに独立したＣＰＵを備え、このＣＰＵと周辺ＬＳＩにより電気回路基板（ＰＷＢＡ）が構成されている。
【００２５】
ここで、ＬＬＭ，ＳＣＰおよびＩＯＴはベースマシンの制御系の中枢を成すもので、各機能を分担するＣＰＵと周辺ＬＳＩによりＭＡＩＮ系を構成している。
図３の構成において、ＩＯＴ５４は、各トレイについて、用紙サイズ、用紙の有無、エレベータのリフトアップが完了したか否か、エレベータの故障の有無等の種々の状態を監視し、トレイに変化が生じたときには即座にＬＬＭ５８に通知する。これによってＬＬＭ５８は最新のトレイ状態を認識することができる。そして、このトレイ情報はＳＣＰ５９を介してＬＬＭ５８からＵＩ５０に通知される。
【００２６】
図４はコンソールパネル（以下、コンパネと称す）を示す図であり、コンパネ４には、用紙サイズ，倍率，複写枚数などの設定／入力，スタート，ストップ，割込み，設定確認などの操作を行うためのハードキーとしてのボタンと液晶表示装置を使用したＬＣＤ画面上に表示される機能に対応して表示部分に設けられたタッチキーとしてのボタンを備えている。またコンパネ４にはハードキーを操作したときの選択や設定の状態がランプなどにより表示されている。なお、これらの機能については周知であるので必要のある場合にのみ説明することにする。
【００２７】
ＬＣＤ画面４５は、320×200dot（1dot＝0.33×0.33 mm）の画素を有し、この画素により構成されるＬＣＤ画面内にタッチパネルが配置されている。このタッチパネルは、10×7tile（1tile＝32×24 dot）により構成されている。
【００２８】
次にＯＨＰ合紙機能の選択、頁連写機能の選択について説明する。図５はＬＣＤ画面４５に表示される初期画面の例であり、基本、応用、専門の３種類の機能が設けられている。
【００２９】
基本ボタン２００は、オペレータが基本コピーに必要な機能を選択するためのボタンであり、応用ボタン３００は、単色カラー、とじしろ、わく消し、ページ連写、ＯＨＰ合紙、応用原稿送り等の応用コピーに必要な機能を選択するためのボタンであり、専門ボタン４００は、オペレータが専門コピーに必要な機能を選択するためのボタンである。
【００３０】
図５の状態で応用ボタン３００がタッチされると図６に示す応用画面３０１が表示される。応用画面３０１には単色カラー３１０、とじしろ３２０、わく消し３３０、ページ連写３４０、ＯＨＰ合紙３５０、応用原稿送り３６０の各機能に対応したボタンが設けられている。従って、応用画面３０１を開いて頁連写ボタン３４０をタッチすれば頁連写機能を選択することができ、ＯＨＰ合紙ボタン３５０をタッチすることでＯＨＰ合紙機能を選択することができる。
【００３１】
さて、図６の画面でＯＨＰ合紙ボタン３５０がタッチされると、ＵＩ５０はＯＨＰ合紙用自動用紙選択手段（図示せず）を起動させる。当該手段は、現在トレイ選択ボタン４２で自動用紙選択（ＡＰＳ）を含めてどのようなトレイが選択されていようとそれを無視して、ＬＬＭ５８から通知されたトレイ情報を参照して現在Ａ４のショートエッジフィード（short edge feed ：以下ＳＥＦと称す）を収納しているトレイ及びＡ４ＬＥＦを収納しているトレイを全て探索し、探索の結果得られたトレイのみを選択可能とし、まず確定した中の一つのトレイのＬＥＤを点灯すると共に当該トレイに収納されているサイズのＬＥＤを点灯し、その後トレイ選択ボタン４２が押されたときには選択可能なトレイとして決定したトレイに対応するＬＥＤのみを順次点灯する。
【００３２】
例えばいま、トレイ１にＡ４ＳＥＦ，トレイ２にＡ４ＬＥＦが収納されているとすると、当該手段は合紙用のトレイとしてトレイ１とトレイ２を選択し、まずトレイ１のＬＥＤ４６及びＡ４ＳＥＦのＬＥＤ４８を点灯する。このときＯＨＰ用紙が手差しトレイ２８にＬＥＦの状態で載置されている場合にはユーザはトレイ選択ボタン４２を押すが、トレイ選択ボタン４２が押されると次にはトレイ２のＬＥＤ４７とＡ４ＬＥＦのＬＥＤ４９が点灯する。そして更に次にトレイ選択ボタン４２が押された場合には再びトレイ１のＬＥＤ４６及びＡ４ＳＥＦのＬＥＤ４８が点灯する。このように本発明によれば、選択されたトレイのみが選択可能になるのでユーザは合紙用のトレイを誤ることはないものである。
【００３３】
なお、上記のトレイ探索に際して、実際にＡ４ＬＥＦまたはＡ４ＳＥＦの用紙を収納していてもエレベータがリフトアップ中でレディ状態にはないトレイについては合紙用のトレイとして選択してもよいし、無視して選択しないようにすることもできる。前者は、リフトアップの時間はそれ程長いものではないから、当該トレイが選択されたときにはリフトアップ中である旨のメッセージを表示すればよいという思想に立脚するものであり、後者は、ＯＨＰ合紙ではスタートボタン４０が押された場合には即座に合紙を搬送しなければならないからレディ状態にあるトレイのみを選択するという思想に立脚するものである。
【００３４】
以上のようにしてユーザにより決定されたトレイ番号はＳＣＰ５９を介して直ちにＬＬＭ５８に通知され、更にＬＬＭ５８からＩＯＴ５４に通知される。従ってスタートボタン４０が押されるとＩＯＴ５４は、まず通知されたトレイから合紙をフィードしてそのまま排出し、次に手差しトレイ２８からＯＨＰ用紙をフィードして原稿の画像をコピーして排出する動作を繰り返す。
【００３５】
ＯＨＰ合紙用自動用紙選択手段は以上の処理を行うが、Ａ４ＳＥＦまたはＡ４ＬＥＦの用紙を収納しているトレイが存在しない場合にはトレイを選択できないので、Ａ４ＳＥＦまたはＡ４ＬＥＦの用紙を補給して下さい等のメッセージ表示を行うと共に、当該処理をＬＬＭ５８に渡す。ＬＬＭ５８はＵＩ５０のＯＨＰ合紙用自動用紙選択手段と同じ処理を行う手段を備えており、上述した合紙用トレイ探索の処理を行い、トレイにＡ４ＳＥＦまたはＡ４ＬＥＦの用紙が収納されると当該トレイを選択可能としてＵＩ５０に当該トレイ番号及びＡ４ＳＥＦ，Ａ４ＬＥＦの種別を通知する。
【００３６】
以上のようにＵＩ５０とＬＬＭ５８にそれぞれＯＨＰ合紙用自動用紙選択手段を備え、まずＵＩ５０側でトレイ探索を行い、該当するトレイが無い場合にはＬＬＭ５８側でトレイ探索を行うのは次の理由による。即ち、ＯＨＰ合紙機能はＵＩ５０が管理するコンパネ４で選択する機能であり、しかもトレイ情報も通知されているからＵＩ５０で合紙用のトレイを探索することができ、該当するトレイが存在する場合には、これによって複写機全体を統括して管理するＬＬＭ５８の負担を軽減することができるばかりでなく、ＵＩ５０はユーザによって最終的に選択されたトレイ番号だけをＬＬＭ５８に通知すればよいから通信データ量も少なくて済む。これに対して、ＩＯＴ５４からの最新のトレイ情報はまずＬＬＭ５８に通知されるから、該当する用紙を収納しているトレイがない場合にはＵＩ５０よりもＬＬＭ５８の方が迅速にトレイ探索を行うことができ、しかも通信データ量が少なくて済むのである。
【００３７】
以上、ＯＨＰ合紙機能選択時の合紙用トレイの自動選択方式について説明したが、次に頁連写機能選択時の用紙の自動選択について説明する。
【００３８】
頁連写機能が選択されたときの用紙選択は、用紙サイズが異なるのみで上述したと同様の処理を行う。即ち、ＵＩ５０とＬＬＭ５８は共に頁連写用自動用紙選択手段を備えており、図６の画面で頁連写ボタン３４０がタッチされた場合にはまずＵＩ５０側の頁連写用自動用紙選択手段で所定のサイズの用紙が収納されたトレイを探索し、該当するトレイが無い場合にはＬＬＭ側の頁連写用自動用紙選択手段でトレイ探索を引き継ぐ。頁連写用自動用紙選択手段が行う処理は、上述したＯＨＰ合紙用自動用紙選択手段が行う処理と同様である。なお、このときの所定のサイズは中間トレイ３３のサイズによって決まるが、ここではＢ５ＬＥＦ及びＡ４ＬＥＦとする。
【００３９】
以上、本発明の一実施例について説明したが、本発明は上記実施例に限定されるものではなく、種々の変形が可能であることは当業者に明らかである。
【００４０】
【発明の効果】
以上の説明から明らかなように、請求項１記載の発明によれば、エレベータがリフトアップする用紙トレイがリフトアップ中と判断された場合にも、トレイ選択ボタンによって該用紙トレイを合紙用トレイとして選択することができる。
また、請求項２記載の発明によれば、エレベータがリフトアップする用紙トレイがリフトアップ中と判断された場合にも、表示制御手段により、該用紙トレイが合紙用トレイとして選択可能なトレイとして表示可能であるので、ユーザが合紙用トレイの選択を誤ることを防止することができる。
【図面の簡単な説明】
【図１】  本発明に係る画像記録装置を適用した複写機の外観を示す斜視図である。
【図２】  図１に示す複写機の用紙搬送系の概略構成を示す図である。
【図３】  図１に示す複写機の電気系のハードウェア構成を示す図である。
【図４】  図１に示す複写機のコンソールパネルを示す図である。
【図５】  基本機能の画面の例を示す図である。
【図６】  応用機能の画面の例を示す図である。
【符号の説明】
２８…手差しトレイ、３３…中間トレイ、４２…トレイ選択ボタン、５０…ＵＩ、５４…ＩＯＴ、５８…ＬＬＭ。
【図１】
0003659570.tif 000002
【図２】
0003659570.tif 000003
【図３】
0003659570.tif 000004
【図４】
0003659570.tif 000005
【図５】
0003659570.tif 000006
【図６】
0003659570.tif 000007